(57)【要約】【課題】手を掛けやすく、意匠性を向上させた引手を提供すること。【解決手段】引戸１００の戸体１０１に設けられる引手１であって、底板部２と、底板部２と別体に設けられ、底板部２に連結される側壁部３２及び側壁部３２における底板部２に対向する側の開口部３１に形成される鍔部３３を有する本体部３と、を有し、側壁部３２は、底板部２側の内側面と、底板部２側の内側面よりも内側に突出する鍔部３３側の内側面との間に形成される段差部３２３とを備える引手１である。【選択図】図２
2018145666.tif 000002
【特許請求の範囲】
【請求項１】
引戸の戸体に設けられる引手であって、
底板部と、
該底板部と別体に設けられ、前記底板部に連結される側壁部及び該側壁部における前記底板部に対向する側の開口部に形成される鍔部を有する本体部と、を有し、
前記側壁部は、前記底板部側の内側面と、該底板部側の内側面よりも内側に突出する前記鍔部側の内側面との間に形成される段差部とを備える引手。
【請求項２】
前記開口部は、略矩形状を有し、
前記側壁部のうち長手方向における一対の側壁部の内側面が、前記鍔部側から前記底板部側に向かうに従い互いに離隔する請求項１に記載の引手。
【請求項３】
前記底板部の周縁と、前記側壁部の前記底板部側には、前記底板部と前記側壁部とを嵌合する嵌合部が形成されている請求項１又は２に記載の引手。
【請求項４】
前記嵌合部は、
前記側壁部の前記底板部側に形成され、前記底板部側に向かって突出する嵌合突部と、
前記底板部の前記周縁における前記嵌合突部に対向する位置に形成される嵌合孔と、を備える請求項３記載の引手。
【請求項５】
前記段差部は、前記鍔部側から前記底板部側に向かうに従い外側に傾斜する傾斜段差部で構成される請求項１〜４のいずれか１項に記載の引手。
【請求項６】
前記側壁部は、該側壁部の外側面において前記鍔部側から前記底板部側へ延びると共に前記底板部を越えて突出し、前記引手を固定するための固定部を挟み込む一対の爪部を有し、
前記底板部は、前記爪部の外側に当接して支持するサポート片を有する請求項１〜５のいずれか１項に記載の引手。
【発明の詳細な説明】
【技術分野】
【０００１】
本発明は、引手に関する。
【背景技術】
【０００２】
従来、引戸の引手は、樹脂の射出成形や金属をプレスして金型で成形する場合、金型に製品の引き抜き勾配を付与する必要があった。このため、引手の内奥の底板部側から開口部側に向かって開口部が広がるような傾斜をつける必要があった。この場合、引手に手を入れて引戸を引く際に、引手の内奥側から開口部側に向かって広がっていると、手が滑りやすく、引きにくかった。また、金型により成形する引手では、使用者が手を当てる引手の側壁部は、金型から容易に引き抜けるように平坦になっているため、手を掛けるための段差を設けることは難しかった。
【０００３】
そこで引手を、開口部を有する箱状の部分と、開口部に設けられる鍔状の二部材により構成し、二つの部材を係合させた部分に手を掛けるように構成した引手が提案されている（特許文献１参照）。
【先行技術文献】
【特許文献】
【０００４】
【特許文献１】特許５７１３５００号公報
【発明の概要】
【発明が解決しようとする課題】
【０００５】
しかし、引手を箱状の部分と鍔状の部分の二部材に分けた場合、箱状の部分はやはり金型成形のため、内奥の底板部から開口部側に向かって広がるような傾斜がついてしまう。このため、箱状の部分の側壁部に手を掛けるための段差を形成することはできなかった。また、引手を箱状の部分と鍔状の部分の二部材に分けた場合、二部材の接合部が引手の側壁部の視認可能な位置に配置されるため、意匠性の観点からもさらなる向上が望まれていた。
【０００６】
本発明は、手を掛けやすく、意匠性を向上させた引手を提供することを目的とする。
【課題を解決するための手段】
【０００７】
上記目的を達成するため本発明は、底板部（例えば、後述の底板部２）と、該底板部と別体に設けられ、前記底板部に連結される側壁部（例えば、後述の側壁部３２）及び該側壁部における前記底板部に対向する側の開口部（例えば、後述の開口部３１）に形成される鍔部（例えば、後述の鍔部３３）を有する本体部（例えば、後述の本体部３）と、を有し、前記側壁部は、前記底板部側の内側面と、該底板部側の内側面よりも内側に突出する前記鍔部側の内側面との間に形成される段差部（例えば、後述の段差部３２３）とを備える引手（例えば、後述の引手１）を提供する。
【０００８】
前記開口部は、略矩形状を有し、前記側壁部のうち長手方向における一対の側壁部（例えば、後述の一対の側壁部３２ａ）の内側面が、前記鍔部側から前記底板部側に向かうに従い互いに離隔することが好ましい。
【０００９】
前記底板部の周縁と、前記側壁部の前記底板部側には、前記底板部と前記側壁部とを嵌合する嵌合部が形成されていることが好ましい。
【００１０】
前記嵌合部は、前記側壁部の前記底板部側に形成され、前記底板部側に向かって突出する嵌合突部（例えば、後述の嵌合突部３２５）と、前記底板部の前記周縁における前記嵌合突部に対向する位置に形成される嵌合孔（例えば、後述の嵌合孔２２）と、を備えることが好ましい。
【００１１】
前記段差部は、前記鍔部側から前記底板部側に向かうに従い外側に傾斜する傾斜段差部で構成されることが好ましい。
【００１２】
前記側壁部は、該側壁部の外側面において前記鍔部側から前記底板部側へ延びると共に前記底板部を越えて突出し、前記引手を固定するための固定部（例えば、後述の固定部３２８）を挟み込む一対の爪部（例えば、後述の爪部３２７）を有し、前記底板部は、前記爪部の外側に当接して支持するサポート片（例えば、後述のサポート片２３）を有することが好ましい。
【発明の効果】
【００１３】
本発明によれば、手を掛けやすく、意匠性を向上させた引手を提供することができる。
【図面の簡単な説明】
【００１４】
【図１】本実施形態の引手が設けられた引戸を示す図である。
【図２】本実施形態の引手の斜視図である。
【図３】本実施形態の引手における本体部の斜視図である。
【図４】本実施形態の引手における底板部の斜視図である。
【図５】図１のＡ−Ａ断面図である。
【発明を実施するための形態】
【００１５】
以下、本発明の実施形態について、図面を参照しながら詳しく説明する。
図１は、本実施形態の引手１が設けられた引戸１００を示す図である。引戸１００は、略長方形の戸体１０１により構成される。
戸体１０１は、建物の戸口を開閉するように見付方向に摺動する。戸体１０１は、引手１を取り付けるための取り付け孔１０２を有する。
取り付け孔１０２は、戸体１０１の吊先側における長手方向の略中央部側に配置される。取り付け孔１０２は、引手１の形状に対応した略長方形に引戸１００をくり抜いて形成される。取り付け孔１０２に引手１を嵌め込むことで、戸体１０１に引手１が取り付けられる。
【００１６】
図２は、一対の引手１の斜視図である。図２に示すように、引手１は、戸体１０１の室内側と室外側に互いに向き合うように一対取り付けられる。引手１は、一方が開口した略直方体で、戸体１０１の内部側へ向かって窪む凹部が形成されている。引手１は、それぞれが底板部２及び本体部３の二部材により構成される。引手１は、樹脂製である。
【００１７】
図３は、底板部２の斜視図である。底板部２は、引手１が戸体１０１に取り付けられた状態では、戸体１０１の内部側に配置され、引手１の凹部の底部を構成する平坦な板状部材である。底板部２は、底板本体２０と、被係合部２１と、嵌合孔２２と、サポート片２３と、を有する。
【００１８】
底板本体２０は、略長方形の平坦な板体である。
被係合部２１は、底板本体２０の周縁に沿って、互いに間隔を空けて複数配置される。被係合部２１は、底板本体２０から引手１の開口に向かって突出する方形の枠体２１ａと、枠体２１ａの内側に形成され、後述する本体部３の係合爪３２４が係合する係合孔２１ｂとを有する。
【００１９】
嵌合孔２２は、底板本体２０の周縁のうち長手方向に延びる側縁に沿って、互いに間隔を空けて複数配置される。嵌合孔２２は、細い長方形の貫通孔であり、後述する本体部３の嵌合突部３２５に対抗する位置に形成される。
【００２０】
サポート片２３は底板本体２０の一対の幅方向に沿う辺のうちの一方の辺に設けられる。サポート片２３は、底板本体２０の幅方向の辺の略中央部に、互いに間隔を空けて二か所に配置され、底板本体２０からさらに下方、すなわち戸体１０１に取り付けた状態で戸体１０１の内奥へ向かって突出する。サポート片２３は、長方形の板状片であり、長手方向が戸体１０１の内奥側に向かう方向に沿うように配置されている。
【００２１】
図４は、本体部３の斜視図である。本体部３は、底板部２とは別体に設けられ、戸体１０１における引手１の取り付け孔１０２に嵌め込まれる枠状の部分である。本体部３は、開口部３１と、側壁部３２と、鍔部３３と、を有する。
【００２２】
開口部３１は、略矩形状を有し、平面視で引手１の略長方形の開口を構成する。開口部３１は、戸体１０１に取り付けた状態で戸体１０１の外側に向かって開放される。
【００２３】
鍔部３３は、底板部２に対向する開口部３１の周囲に形成され、開口部３１の周囲を囲むように底板部２と略平行に延びる。鍔部３３は、引手１が戸体１０１に設けられた際、戸体１０１の取り付け孔１０２の周縁を覆って戸体１０１の表面側に延びる平坦な枠である。
【００２４】
図５は、図１のＡ−Ａ断面図である。
側壁部３２は、底板部２の周囲から引手１の厚さ方向に延び、底板部２に連結される。側壁部３２は、底板本体２０に略直交する方向に起立する四つの壁面である。側壁部３２は、側壁部３２における底板部２の長手方向に沿って起立する一対の側壁部３２ａと、底板部２の幅方向に沿って起立する一対の側壁部３２ｂと、を有する。側壁部３２のうち底板部２の長手方向に沿って起立する一対の側壁部３２ａは、戸体１０１の移動方向の前後に向かい合って配置される。この一対の側壁部３２ａの内側面は、図５に示すように、互いに鍔部３３側から底板部２側に向かうに従い離隔するように、断面視で略ハの字に形成される。
【００２５】
側壁部３２は、図５に示すように、鍔部３３側の内側面における鍔部側側壁部３２１と、底板部２側の内側面における底板部側側壁部３２２と、に面が分かれている。すなわち、一対の側壁部３２ａ間の間隔は、鍔部側側壁部３２１間の方が、底板部側側壁部３２２間よりも狭く形成されており、鍔部側側壁部３２１は、底板部側側壁部３２２よりも内側に突出している。鍔部側側壁部３２１は、本体部３の幅方向内側に、底板部側側壁部３２２は、本体部３の幅方向外側に位置している。
【００２６】
側壁部３２は、鍔部側側壁部３２１側で、鍔部３３側から底板部２側に向かって２度〜３度、底板部側側壁部３２２側で、底板部側側壁部３２２の上端から底板部２側に向かって２度〜３度、それぞれ傾斜しており、側壁部３２全体で、本体部３の内側から外側へ向かうように傾斜している。
側壁部３２を含む本体部３は、底板部２と一体でないため、本体部３の成形後、金型を開口部３１側から底板部２が配置される側へと抜くことができる。このため、側壁部３２ａで全体として断面視略ハの字状に形成し、鍔部側側壁部３２１及び底板部側側壁部３２２それぞれにおいて、向かい合う側壁部３２ａの内側面同士間の間隔が底板部２側に向かって広がるように傾斜をつけることが可能になっている。
【００２７】
側壁部３２は、段差部３２３と、係合爪３２４と、嵌合突部３２５と、突出片３２６（図２参照）と、を有する。
なお、側壁部３２の係合爪３２４及び底板部２の被係合部２１と、側壁部３２の嵌合突部３２５及び底板部２の嵌合孔２２とは、それぞれ底板部２及び側壁部３２を嵌合する嵌合部を構成する。
【００２８】
段差部３２３は、図５に示すように、側壁部３２ａのそれぞれにおける鍔部３３側の端部と底板部２側の端部との間に形成される。すなわち、段差部３２３は、鍔部側側壁部３２１と底板部側側壁部３２２の間に配置される。一対の側壁部３２ａに形成される向かい合う段差部３２３は、互いに鍔部３３側から底板部２側に向かうに従い外側に傾斜する傾斜段差部で構成される。すなわち、段差部３２３においても、鍔部側側壁部３２１及びと底板部側側壁部３２２と同様に、鍔部３３側から底板部２側に向かうに従い離隔するように、断面視で略ハの字に形成される。
【００２９】
係合爪３２４は、一対の側壁部３２ａの底板部２側の外面側に設けられる。係合爪３２４は、底板部２から鍔部３３側に向かうに従って上り傾斜するように突出し、側壁部３２ａの外面から係合爪３２４の外面までの間の厚さが、係合爪３２４の鍔部３３側で最も厚く形成されている。
【００３０】
嵌合突部３２５は、一対の側壁部３２ａの底板部２側に形成され、底板部２側に向かって突出する。嵌合突部３２５は、略長方形であり、長手方向が側壁部３２ａの側面に沿い、幅方向が底板部２側に向かって延びる。嵌合突部３２５の厚さは、側壁部３２ａの厚さよりも薄い。
【００３１】
突出片３２６は、側壁部３２のうち幅方向に沿う一対の側壁部３２ｂにおいて、鍔部３３の裏面から底板部２側に向かって突出する突起である。突出片３２６は、図２に示すように、爪部３２７と、固定部３２８と、を有する。
【００３２】
爪部３２７は、一対の側壁部３２ｂのうちの一方側に設けられる。爪部３２７は、側壁部３２ｂの幅方向における略中央部から二本、互いに間隔を空けて突出する。爪部３２７は、側壁部３２ｂの外面側で鍔部３３側から底板部２側へ延び、底板部２を越えて突出する。二本の爪部３２７は、互いに向き合う内側面に幅方向に延びる縞のような微小な凹凸が形成され、摩擦の大きな面となっている。爪部３２７は、本体部３が底板部２に嵌め合わされた状態で、図２に示すように、底板部２から突出するサポート片２３の内面に当接する。
【００３３】
固定部３２８は、一対の側壁部３２ｂのうちの他方に設けられる。固定部３２８は、爪部３２７に対向して配置される。固定部３２８は、略コ字状の形状を有し、コの字の開口側が鍔部３３の裏面に接合されている。固定部３２８は、互いに平行に延びる二本の延出部３２８ａと、延出部３２８ａ同士を連結する連結部３２８ｂとにより構成される。
延出部３２８ａは、側壁部３２ｂの幅方向における略中央部から二本、互いに間隔を空けて底板部２側に向かい、底板部２を越えて突出する。二本の延出部３２８ａは、一対の爪部３２７同士の内側に嵌るような間隔を有して配置される。二本の延出部３２８ａの外側面には、幅方向に延びる縞のような微小な凹凸が形成され、摩擦の大きな面となっている。
連結部３２８ｂは、延出部３２８ａの先端を連結し、鍔部３３に略平行に延びる。
【００３４】
次に、引手１の組み付け方について説明する。
まず、底板部２と本体部３の組み付けについて説明する。本体部３の下端部を底板部２に当接させて押し込むと、側壁部３２の下方の外面に配置されている係合爪３２４が底板部２の枠体２１ａを乗り越えて係合孔２１ｂに係合する。同様に、側壁部３２の下端部に設けられている嵌合突部３２５が、底板本体２０の嵌合孔２２に嵌合する。さらに、側壁部３２の爪部３２７が、底板部２一対のサポート片２３の間に位置し、爪部３２７の外面がサポート片２３の内面に当接する。
このように、底板部２と本体部３が一体にセットされ、引手１が構成される。
【００３５】
図２に戻って、引手１は、戸体１０１の室内側と室外側の両側に取り付けられることで、出入口の両方から使用できる。したがって、一対の引手１は、戸体１０１の室内側及び室外側両方の表面に形成された取り付け孔１０２にそれぞれ嵌め込まれて設置される。
【００３６】
上述の通り、引手１の一対の幅方向に延びる側縁には、爪部３２７及び固定部３２８が形成されている。爪部３２７は、長方形の板状の部材が二つ突出して形成され、固定部３２８は、略コ字状の形状をしている。そこで、図２に示すように、同じ形状の引手１を、上下互い違いに配置して、引手１の開口を外側にした状態で組み合わせると、一方の引手１の爪部３２７の間に他方の固定部３２８が挿入される。こうして、爪部３２７が、固定部３２８を挟み込み、固定部３２８は、一対の引手１を互いに固定する。固定部３２８の外側面と爪部３２７の内側面にはぎざぎざした微小な凹凸が形成されているので、摩擦が大きく、外れることもない。
【００３７】
爪部３２７の間に固定部３２８を挿入すると、爪部３２７が固定部３２８に押されて互いに離間するように変形するが、底板部２から突出するサポート片２３が爪部３２７の外側に当接しているので、サポート片２３により爪部３２７が支持され、補強される。
【００３８】
以上のように組み合わせた引手１を戸体１０１に取り付けたとき、側壁部３２の内面には段差部３２３が形成されている。また、側壁部３２の長手方向に沿う一対の側壁部３２ａは、鍔部３３側から内奥の底板部２に向かって、互いに間隔が広くなるように断面視で略ハの字に形成されている。すなわち、引手１の内部は、開口部３１側が狭く、底板部２側が広く形成されている。そして、開口部３１側である鍔部側側壁部３２１と底板部２側である底板部側側壁部３２２との間に、段差部３２３が設けられている。使用者は、この段差部３２３に手指を掛けることで容易に引戸１００を引くことができる。
【００３９】
本実施形態によれば、以下の効果が奏される。
本実施形態によれば、引戸１００の戸体１０１に設けられる引手１を、底板部２と、底板部２と別体に設けられ、底板部２に連結される側壁部３２及び該側壁部３２における底板部２に対向する側の開口部３１に形成される鍔部３３を有する本体部３と、を含んで構成した。また、側壁部３２を、底板部２側の内側面と、該底板部２側の内側面よりも内側に突出する鍔部３３側の内側面との間に形成される段差部３２３と、を含んで構成した。
本実施形態によれば、引手１の側壁部３２の内側面を、底板部２側の内側面よりも鍔部３３側の内側面の方を内側から突出させ、底板部２側の内側面と鍔部３３側の内側面との間に段差部３２３を形成した。これにより、引手１の使用時に、手指を段差部３２３に掛けて引手１を引くことができ、開閉操作が容易になる。また、段差部３２３が同一の側壁部３２内に設けられているため、引手１を構成する二つの部材を接合した接合部等が視認されないので、意匠性が向上する。
また、引手１を底板部２と、底板部２と別体であって、側壁部３２及び鍔部３３を含む本体部３とにより構成することで、側壁部３２における鍔部３３側の内側面を、底板部２側の内側面よりも内側に位置するように成形して、金型を抜くことができる。このため、容易に手を掛けやすい引手１を製造することができる。
【００４０】
本実施形態によれば、開口部３１を、略矩形状に構成し、側壁部３２のうち長手方向における一対の側壁部３２ａの内側面を、鍔部３３側から底板部２側に向かうに従い互いに離隔させた。これにより、一対の側壁部３２ａの内側面の間が、鍔部３３側で狭く、底板部２側で広くなるので、段差部３２３に手指をかけて引戸１００を引きやすくなる。
【００４１】
本実施形態によれば、底板部２の周縁と、側壁部３２の底板部２側に、底板部２と側壁部３２とを嵌合する嵌合部を設けた。これにより、底板部２と側壁部３２とを組み付けやすくなる。
【００４２】
本実施形態によれば、側壁部３２の底板部２側に形成され、底板部２側に向かって突出する嵌合突部３２５と、底板部２の周縁における嵌合突部３２５に対向する位置に形成される嵌合孔２２と、を含んで構成した。引手１を戸体１０１の取り付け孔１０２に嵌め込むと、引手１の幅方向外側から内側へ向けて取り付け孔１０２から圧力がかかる。この圧力は側壁部３２を内側に撓ませる方にかかるが、嵌合突部３２５が底板部２に向かって延びており、底板部２の厚さ方向に嵌るように構成されているので、外側からの圧力に対抗し、底板部２と側壁部３２とが外れにくくなる。
【００４３】
本実施形態によれば、段差部３２３を、鍔部３３側から底板部２側に向かうに従い外側に傾斜する傾斜段差部で構成した。段差部３２３にも傾斜が設けられているため、側壁部３２を含んだ本体部３を金型で成形し、金型を抜く際抜きやすくなるので、製造が容易になる。
【００４４】
本実施形態によれば、側壁部３２を、側壁部３２の外側面において鍔部３３側から底板部２側へ延びると共に底板部２を越えて突出し、引手１を固定するための固定部３２８を挟み込む一対の爪部３２７を含んで構成した。また、底板部２を、爪部３２７の外側に当接して支持するサポート片２３を含んで構成した。これにより、同じ形状の引手１を上下互い違いに配置することで、一対の爪部３２７の間に固定部３２８を挿入させて、二つの引手１を固定することができる。また、底板部２側に爪部３２７の外側に当接するサポート片２３が形成されているので、爪部３２７の間に固定部３２８が挿入されたときに、爪部３２７が外側へ開いてしまうことを防止でき、二つの引手１の組み付けを確実にすると共に、強度を向上させることができる。
【００４５】
なお、本発明は上記実施形態に限定されるものではなく、本発明の目的を達成できる範囲での変形、改良等は本発明に含まれる。
【符号の説明】
【００４６】
１      引手
２      底板部
３      本体部
２２    嵌合孔
２３    サポート片
３１    開口部
３２    側壁部
３３    鍔部
３２３  段差部
３２５  嵌合突部
３２７  爪部
３２８  固定部
１００  引戸
１０１  戸体
【図１】
2018145666.tif 000003
【図２】
2018145666.tif 000004
【図３】
2018145666.tif 000005
【図４】
2018145666.tif 000006
【図５】
2018145666.tif 000007